(57)【要約】【課題】パッシブ方式による３次元画像表示に適用するパターン位相差フィルムを容易かつ大量に作製することができるパターン位相差フィルムの製造方法を提供する。【解決手段】右目用透過光に対応する第１の位相差を与えるために、液晶が配向されて第１の膜厚（ｔ１）を有する右目用領域（Ａ）と、左目用透過光に対応する第２の位相差を与えるために、液晶が配向されて第２の膜厚（ｔ２）を有する左目用領域（Ｂ）とが、帯状に交互にパターンニングされたパターン位相差フィルムの製造方法であって、フィルム基材（２）上に塗布された賦型用樹脂（３）に、帯状に交互にパターンニングされた凹凸部を転写する凹凸転写工程（＃１０２）と、前記賦型用樹脂の凹凸部に液晶材料（４）をコートする液晶コート工程（＃１０５）と、前記液晶材料の凹凸部に１方向を向いた微小キズを転写する微小キズ転写工程（＃１０６）とを備えた。【選択図】図８
2013015754.tif 000002
【特許請求の範囲】
【請求項１】
右目用透過光に対応する第１の位相差を与えるために、液晶が配向されて第１の膜厚を有する右目用領域と、左目用透過光に対応する第２の位相差を与えるために、液晶が配向されて第２の膜厚を有する左目用領域とが、帯状に交互にパターンニングされたパターン位相差フィルムの製造方法であって、
フィルム基材上に塗布された賦型用樹脂に、帯状に交互にパターンニングされた凹凸部を転写する凹凸転写工程と、
前記賦型用樹脂の凹凸部に液晶材料をコートする液晶コート工程と、
前記液晶材料の凹凸部に１方向を向いた微小キズを転写する微小キズ転写工程と、
を備えたパターン位相差フィルムの製造方法。
【請求項２】
右目用透過光に対応する第１の位相差を与えるために、液晶が配向されて第１の膜厚を有する右目用領域と、左目用透過光に対応する第２の位相差を与えるために、液晶が配向されて第２の膜厚を有する左目用領域とが、帯状に交互にパターンニングされたパターン位相差フィルムの製造方法であって、
フィルム基材上に塗布された賦型用樹脂に、１方向を向いた微小キズを転写する微小キズ転写工程と、
前記賦型用樹脂の微小キズに液晶材料をコートする液晶コート工程と、
前記液晶材料の微小キズに、帯状に交互にパターンニングされた凹凸部を転写する凹凸転写工程と、
を備えたパターン位相差フィルムの製造方法。
【請求項３】
右目用透過光に対応する第１の位相差を与えるために、液晶が配向されて第１の膜厚を有する右目用領域と、左目用透過光に対応する第２の位相差を与えるために、液晶が配向されて第２の膜厚を有する左目用領域とが、帯状に交互にパターンニングされたパターン位相差フィルムの製造方法であって、
フィルム基材上に塗布された賦型用樹脂に、帯状に交互にパターンニングされ、１方向を向いた微小キズが形成された微小キズ付き凹凸部を転写する微小キズ付き凹凸転写工程と、
前記賦型用樹脂の微小キズ付き凹凸部に液晶材料をコートする液晶コート工程と、
前記液晶材料の上にベタ版を転写するベタ版転写工程と、
を備えたパターン位相差フィルムの製造方法。
【請求項４】
請求項１から請求項３までのいずれか１項に記載のパターン位相差フィルムの製造方法において、
前記第１の膜厚と前記第２の膜厚とは、一方が他方の略３倍であること、
を特徴とするパターン位相差フィルムの製造方法。
【発明の詳細な説明】
【技術分野】
【０００１】
本発明は、パッシブ方式による３次元画像表示に適用するパターン位相差フィルムの製造方法に関するものである。
【背景技術】
【０００２】
従来、フラットパネルディスプレイは、２次元表示のものが主流であった。しかし、近年、３次元表示可能なフラットパネルディスプレイが注目を集めており、一部市販もされている。そして、今後のフラットパネルディスプレイは、３次元表示可能であることが当然に求められる傾向にあり、３次元表示可能なフラットパネルディスプレイの検討が幅広い分野において進められている。
【０００３】
フラットパネルディスプレイにおいて３次元表示をするには、通常、何らかの方式で右目用の映像と、左目用の映像とを、それぞれ選択的に視聴者の右目及び左目に提供することが必要である。右目用の映像と左目用の映像とを選択的に提供する方法としては、例えば、パッシブ方式が知られている。
【０００４】
このパッシブ方式の３次元表示方式について図を参照しながら説明する。図２３は、液晶表示パネルを使用したパッシブ方式の３次元表示の一例を示す概略図である。この図２３の例では、垂直方向に連続する液晶表示パネルの画素を、順次交互に、右目用及び左目用に割り当て、それぞれ右目用及び左目用の画像データで駆動し、これにより右目用の映像と左目用の映像とを同時に表示する。また、液晶表示パネルのパネル面にパターン位相差フィルムを配置し、右目用及び左目用の画素からの直線偏光による出射光を、右目用及び左目用で方向の異なる円偏光に変換する。これにより、パッシブ方式では、対応する偏光フィルタを備えるメガネを装着して、右目用の映像と左目用の映像とをそれぞれ選択的に視聴者の右目及び左目に提供する。
【０００５】
このパッシブ方式は、応答速度の低い液晶表示装置でも適用することができ、さらにパターン位相差フィルムと円偏光メガネとを用いた簡易な構成で３次元表示することができる。このようなことから、パッシブ方式の液晶表示装置は、今後の３次元表示装置の中心的存在となるものとして非常に注目されている。
【０００６】
ところで、パッシブ方式に係るパターン位相差フィルムは、画素の割り当てに対応して透過光に位相差を与えるパターン状の位相差層が必要である。このパターン位相差フィルムは、まだ広く研究、開発が行われておらず、標準的な技術としても確立されているものがないのが現状である。
【０００７】
このパターン位相差フィルムに関して、特許文献１には、配向規制力を制御した光配向膜をガラス基板上に形成し、この光配向膜により液晶の配列をパターニングする製造方法が開示されている。しかし、この特許文献１に開示の方法は、ガラス基板を使用することが必要であることから、パターン位相差フィルムが高価になり、大面積のものを大量生産し難い問題がある。
【０００８】
また、パターン位相差フィルムに関して、特許文献２には、レーザーの照射によりロール版の周囲に微細な凹凸形状を形成し、この凹凸形状を転写してパターン状に配向規制力を制御した光配向膜を作製する方法が開示されている。この特許文献２に開示の方法では、レーザーの走査によりロール版の全周に漏れ無くレーザーを照射することが必要である。従って、ロール版の作製に時間を要する問題がある。また、高価なレーザー加工装置を使用しなければならない問題もある。
【先行技術文献】
【特許文献】
【０００９】
【特許文献１】特開２００５−４９８６５号公報
【特許文献２】特開２０１０−１５２２９６号公報
【発明の概要】
【発明が解決しようとする課題】
【００１０】
本発明の課題は、パッシブ方式による３次元画像表示に適用するパターン位相差フィルムを容易かつ大量に作製することができるパターン位相差フィルムの製造方法を提供することである。
【課題を解決するための手段】
【００１１】
前記課題を解決するために、請求項１の発明は、右目用透過光に対応する第１の位相差を与えるために、液晶が配向されて第１の膜厚（ｔ１）を有する右目用領域（Ａ）と、左目用透過光に対応する第２の位相差を与えるために、液晶が配向されて第２の膜厚（ｔ２）を有する左目用領域（Ｂ）とが、帯状に交互にパターンニングされたパターン位相差フィルムの製造方法であって、フィルム基材（２）上に塗布された賦型用樹脂（３）に、帯状に交互にパターンニングされた凹凸部を転写する凹凸転写工程（＃１０２）と、前記賦型用樹脂の凹凸部に液晶材料（４）をコートする液晶コート工程（＃１０５）と、前記液晶材料の凹凸部に１方向を向いた微小キズを転写する微小キズ転写工程（＃１０６）と、を備えたパターン位相差フィルムの製造方法を提供する。
請求項２の発明は、右目用透過光に対応する第１の位相差を与えるために、液晶が配向されて第１の膜厚（ｔ１）を有する右目用領域（Ａ）と、左目用透過光に対応する第２の位相差を与えるために、液晶が配向されて第２の膜厚（ｔ２）を有する左目用領域（Ｂ）とが、帯状に交互にパターンニングされたパターン位相差フィルムの製造方法であって、フィルム基材（２）上に塗布された賦型用樹脂に、１方向を向いた微小キズを転写する微小キズ転写工程（＃２０２）と、前記賦型用樹脂の微小キズに液晶材料（４）をコートする液晶コート工程（＃２０５）と、前記液晶材料の微小キズに、帯状に交互にパターンニングされた凹凸部を転写する凹凸転写工程（＃２０６）と、を備えたパターン位相差フィルムの製造方法を提供する。
請求項３の発明は、右目用透過光に対応する第１の位相差を与えるために、液晶が配向されて第１の膜厚（ｔ１）を有する右目用領域（Ａ）と、左目用透過光に対応する第２の位相差を与えるために、液晶が配向されて第２の膜厚（ｔ２）を有する左目用領域（Ｂ）とが、帯状に交互にパターンニングされたパターン位相差フィルムの製造方法であって、フィルム基材（２）上に塗布された賦型用樹脂（３）に、帯状に交互にパターンニングされ、１方向を向いた微小キズが形成された微小キズ付き凹凸部を転写する微小キズ付き凹凸転写工程（＃３０３）と、前記賦型用樹脂の微小キズ付き凹凸部に液晶材料（４）をコートする液晶コート工程（＃３０５）と、前記液晶材料の上にベタ版を転写するベタ版転写工程（＃３０６）と、を備えたパターン位相差フィルムの製造方法を提供する。
請求項４の発明は、請求項１から請求項３までのいずれか１項に記載のパターン位相差フィルムの製造方法において、前記第１の膜厚（ｔ１）と前記第２の膜厚（ｔ２）とは、一方が他方の略３倍であること、を特徴とするパターン位相差フィルムの製造方法を提供する。
以上、理解を容易にするために、本発明の実施形態に対応する符号を付して説明したが、これに限定されるものではない。なお、符号を付して説明した構成は、適宜改良してもよく、また、少なくとも一部を他の構成に代替してもよい。
【発明の効果】
【００１２】
本発明によれば、パッシブ方式による３次元画像表示に適用するパターン位相差フィルムを容易かつ大量に作製することができる、という効果がある。
【図面の簡単な説明】
【００１３】
【図１Ａ】本発明の第１実施形態に係るパターン位相差フィルムを示す図である。
【図１Ｂ】本発明の第２実施形態に係るパターン位相差フィルムを示す図である。
【図２】第１実施形態に係るパターン位相差フィルムの製造方法（賦型用樹脂塗布工程＃１０１）を示す模式図である。
【図３】第１実施形態に係るパターン位相差フィルムの製造方法（凹凸転写工程＃１０２、ＵＶ硬化工程＃１０３）を示す模式図である。
【図４】第１実施形態に係るパターン位相差フィルムの製造方法（離型工程＃１０４）を示す模式図である。
【図５】第１実施形態に係るパターン位相差フィルムの製造方法（液晶コート工程＃１０５、液晶硬化工程＃１０６）を示す模式図である。
【図６】第１実施形態に係るパターン位相差フィルムの製造方法（微小キズ転写工程＃１０６）を示す模式図である。
【図７】第１実施形態に係るパターン位相差フィルムの製造方法（微小キズ転写工程＃１０６、液晶硬化工程＃１０７）を示す模式図である。
【図８】第１実施形態に係るパターン位相差フィルムの製造方法（離型工程＃１０８）を示す模式図である。
【図９】第１実施形態に係るパターン位相差フィルムの製造装置を示す略線図である。
【図１０】第２実施形態に係るパターン位相差フィルムの製造方法（賦型用樹脂塗布工程＃２０１）を示す模式図である。
【図１１】第２実施形態に係るパターン位相差フィルムの製造方法（微小キズ転写工程＃２０２、ＵＶ硬化工程＃２０３）を示す模式図である。
【図１２】第２実施形態に係るパターン位相差フィルムの製造方法（離型工程＃２０４）を示す模式図である。
【図１３】第２実施形態に係るパターン位相差フィルムの製造方法（液晶コート工程＃２０５）を示す模式図である。
【図１４】第２実施形態に係るパターン位相差フィルムの製造方法（凹凸転写工程＃２０６）を示す模式図である。
【図１５】第２実施形態に係るパターン位相差フィルムの製造方法（凹凸転写工程＃２０６、液晶硬化工程＃２０７）を示す模式図である。
【図１６】第２実施形態に係るパターン位相差フィルムの製造方法（離型工程＃２０８）を示す模式図である。
【図１７】第３実施形態に係るパターン位相差フィルムの製造方法（賦型用樹脂塗布工程＃３０１）を示す模式図である。
【図１８】第３実施形態に係るパターン位相差フィルムの製造方法（微小キズ付き凹凸転写工程＃３０２、ＵＶ硬化工程＃３０３）を示す模式図である。
【図１９】第３実施形態に係るパターン位相差フィルムの製造方法（離型工程＃３０４）を示す模式図である。
【図２０】第３実施形態に係るパターン位相差フィルムの製造方法（液晶コート工程＃３０５）を示す模式図である。
【図２１】第３実施形態に係るパターン位相差フィルムの製造方法（ベタ版転写工程＃３０６、液晶硬化工程＃３０７）を示す模式図である。
【図２２】第３実施形態に係るパターン位相差フィルムの製造方法（離型工程＃３０８）を示す模式図である
【図２３】液晶表示パネルを使用したパッシブ方式の３次元表示の一例を示す概略図である。
【発明を実施するための形態】
【００１４】
（パターン位相差フィルムの第１実施形態）
以下、図面等を参照して、本発明の実施の形態について、さらに詳しく説明する。
図１Aは、本発明の第１実施形態に係るパターン位相差フィルムを示す図である。
第１実施形態のパターン位相差フィルム１は、液晶の膜厚で位相差を制御しようというものであり、透明フィルムによる基材２に賦型樹脂層３、位相差層４が順次積層されている。
このパターン位相差フィルム１は、位相差層４が液晶材料により形成され、この液晶材料の配向を賦型樹脂層３のパターン状の微小キズ付き凹凸部３ａの配向規制力により規制し、賦型樹脂層３の凹凸部に対応した位相差層４の厚みｔ１，ｔ２により、右目用領域Ａと左目用領域Ｂの位相差を付与する。このパターン位相差フィルム１は、上記パターニングにより、液晶表示パネルにおける画素の割り当てに対応して、一定の幅により、右目用領域Ａと、左目用領域Ｂとが順次交互に帯状にパターンニングされ、右目用及び左目用の画素からの出射光にそれぞれ対応する位相差を与える。
【００１５】
（パターン位相差フィルムの第２実施形態）
図１Bは、本発明の第２実施形態に係るパターン位相差フィルムを示す図である。
第２実施形態のパターン位相差フィルム１Aは、透明フィルムによる基材２に微小キズ付き樹脂層３Ａ、凹凸賦型位相差層４Ａが順次積層されている。
このパターン位相差フィルム１Ａは、賦型位相差層４Ａが液晶材料により形成され、この液晶材料の配向を微小キズ付き樹脂層３Ａの配向規制力により規制し、賦型位相差層４Ａのパターン状の凹凸部４ｂに対応した賦型位相差層４の厚みｔ１，ｔ２により、右目用領域Ａと左目用領域Ｂの位相差を付与する。
【００１６】
（パターン位相差フィルムの製造方法の第１実施形態）
図２〜図８は、第１実施形態に係るパターン位相差フィルムの製造方法を示す模式図である。
第１実施形態に係るパターン位相差フィルムの製造方法は、賦型用樹脂コート工程＃１０１と、凹凸転写工程＃１０２と、賦型用樹脂硬化工程＃１０３と、離型工程＃１０４と、液晶コート工程＃１０５と、微小キズ転写工程＃１０６と、液晶硬化工程＃１０７、離型工程＃１０８などとを備えている。
【００１７】
賦型用樹脂コート工程＃１０１は、図２に示すように、ＴＡＣ等の透明フィルムからなる基材２に、硬化してないアクリル系などのＵＶ硬化型の賦型用樹脂３を塗布する工程である。
【００１８】
凹凸転写工程＃１０２は、図２に示すように、成形型５によって、基材２にコートされた賦型用樹脂３に、凹凸部３ａを賦型する工程である。この成形型５は、右目用透過光に対応する位相差を与える右目用領域５Ａと、左目用透過光に対応する位相差を与える左目用領域５Ｂとが、帯状の凹凸部５ａとして交互に形成されたものである。成形型５は、凹凸部５ａが形成されているのは、液晶の膜厚を変えるための段差を賦型用樹脂３に付与するためである。この実施形態では、成形型５の凹凸部の段差は、２μｍとしてある。
【００１９】
賦型用樹脂硬化工程＃１０３は、図３に示すように、成形型５で、未硬化のＵＶ硬化型の賦型樹脂３に型押ししながら、ＵＶ（紫外線）を照射して硬化させる工程である。
【００２０】
離型工程＃１０４は、成形型５を離型する工程であり、図４に示すように、賦型樹脂層３には、賦型用樹脂に賦型された凹凸部３ａが形成される。
【００２１】
液晶コート工程＃１０５は、賦型樹脂層３の凹凸部３ａに、液晶材料をコートする工程である。コーティング方法は、ダイコート、グラビア、スピンコート、バーコート等を用いることができる。
【００２２】
微小キズ転写工程＃１０６は、成形型６により、液晶材料４の凹凸部４ａに液晶を配向するための、１方向（凹凸部４ａの長手方向から４５度の方向）を向いた微小キズ６ａを転写する工程である。成形型６は、図６に示すように、微小キズ６ａがラビング又は研磨により、ほぼ５ｎｍ〜５００μｍの範囲内でランダムに形成されている。
【００２３】
液晶硬化工程＃１０７は、ＵＶの照射により、液晶材料を硬化させる工程である。
離型工程＃１０８は、成形型５を離型する工程であり、図８に示すように、パターン位相差フィルム１は、基材２に賦型樹脂層３、位相差層４が順次積層されており、液晶表面から凹部の底部までの液晶の膜厚ｔ１と、液晶表面から凸部の頂部までの液晶の膜厚ｔ２によって、右目用領域Ａと左目用領域Ｂの位相差が付与されている。
【００２４】
以上説明したように、第１実施形態によれば、成形型５は、２μｍの段差のある凹凸部３ａが形成されている。また、成形型６は、その表面にラビング等で微小キズ６ａを付けてあり、この微小キズ６ａの方向（配向方向）は、１方向に揃っている。
この成形型５により、賦型層３に凹凸部３ａを賦型し、そこに液晶材料をコートする。ついで、成形型６で液晶材料に微小キズ６ａを転写することにより、液晶が配向された位相差層４は、液晶表面から凹部の底部までの液晶の膜厚ｔ１と、液晶表面から凸部の頂部までの液晶の膜厚ｔ２によって、右目用領域Ａと左目用領域Ｂの位相差を付与する。この液晶表面は、凸部の頂部から１μｍの厚さに均一に形成されている。
右目用領域Ａは、膜厚ｔ１＝３μｍで、厚み方向のリタデーション値Ｒｅ１＝３７５ｎｍとなり、偏光の振動方向が３λ／４となる。
左目用領域Ｂは、膜厚ｔ２＝１μｍで、厚み方向のリタデーション値Ｒｅ２＝１２５ｎｍとなり、偏光の振動方向がλ／４となる。
従って、右目用領域Ａと左目用領域Ｂで、λ／２の位相差が付与される。
このように、膜厚を一方が他方の３倍となるようにすれば、厚みに比例したリタデーション値を付与できる。これは、液晶の性質であり、材料に関係なく３倍の厚み差があれば、それに比例したリタデーション値が得られる。
【００２５】
図９は、第１実施形態に係るパターン位相差フィルムの製造装置を示す略線図である。
第１実施形態の製造装置１０は、基材２がロールにより提供され、この基材２を供給リール１１から供給する。この製造装置１０は、ダイ１２によりこの基材２にＵＶ硬化型の賦型用樹脂３Ａをコートする（賦型用樹脂コート工程＃１０１）。
【００２６】
この製造装置１０において、ロール版１３は、図２で説明した成形型５と同様な型が周囲に形成された円筒形状の金型である。製造装置１０は、賦型用樹脂が塗布された基材２を加圧ローラ１４によりロール版１３に押圧し（凹凸転写工程＃１０２）、紫外線照射装置１５による紫外線の照射により賦型用樹脂を硬化させる（ＵＶ硬化工程＃１０３）。
これにより、製造装置１０は、ロール版１３に形成された凹凸部を基材２に塗布された賦型用樹脂に転写する。その後、剥離ローラ１６によりロール版１３から基材２を剥離し（離型工程＃１０４）、ダイ１９により液晶材料４Ａを塗布する（液晶コート工程＃１０５）。
【００２７】
次に、この製造装置１０において、ロール版１３Ａは、図６で説明した成形型６と同様な微小キズ６ａが形成された型が周囲に形成された円筒形状の金型である。製造装置１０は、液晶材料が塗布された基材２を加圧ローラ１４Ａによりロール版１３Ａに押圧し（微小キズ転写工程＃１０６）、紫外線照射装置１５Ａによる紫外線の照射により液晶材料を硬化させる（ＵＶ硬化工程＃１０７）。
これにより、製造装置１０は、ロール版１３Ａに形成された微小キズ６ａを基材２に塗布された液晶材料に転写する。その後、剥離ローラ１６Ａによりロール版１３から基材２を剥離し（離型工程＃１０８）、さらに、その後巻き取りリール１８に巻き取る。
【００２８】
パターン位相差フィルム１は、この巻き取りリール１８に巻き取ったフィルム材に、必要に応じて粘着層、反射防止層等を形成した後、所望の大きさに切断して作製される。これにより、パターン位相差フィルム１は、ロール版１３、１３Ａを用いた凹凸部３ａ及び微小キズ４ａの転写により、ロールにより提供される基材２を連続して処理して効率よく製造される。
【００２９】
（パターン位相差フィルムの製造方法の第２実施形態）
図１０〜図１６は、第２実施形態に係るパターン位相差フィルムの製造方法を示す模式図である。
以下の各実施形態では、前述した第１実施形態と同様な機能を果たす部分には、同一の符号を付して、重複する記載や図面を適宜省略する。
第２実施形態に係るパターン位相差フィルムの製造方法は、賦型用樹脂コート工程＃２０１と、微小キズ転写工程＃２０２と、賦型用樹脂硬化工程＃２０３と、離型工程＃２０４と、液晶コート工程＃２０５と、凹凸転写工程＃２０６と、液晶硬化工程＃２０７、離型工程＃２０８などとを備えている。
【００３０】
賦型用樹脂塗布工程＃２０１は、図１０に示すように、ＴＡＣ等の透明フィルムからなる基材２に、硬化してないアクリル系などのＵＶ硬化型の賦型用樹脂３を塗布する工程である。
【００３１】
微小キズ転写工程＃２０２は、成形型６により、賦型用樹脂３に液晶を配向するための、１方向（後述する凹凸部４ｂの長手方向から４５度の方向）を向いた微小キズ６ａを転写する工程である。成形型６は、図１０に示すように、微小キズ６ａがラビング又は研磨により、ほぼ５ｎｍ〜５００μｍの範囲内でランダムに形成されている。
【００３２】
賦型用樹脂硬化工程＃２０３は、図１１に示すように、成形型６で、未硬化のＵＶ硬化型の賦型樹脂３に型押ししながら、ＵＶ（紫外線）を照射して硬化させる工程である。
【００３３】
離型工程＃２０４は、成形型６を離型する工程であり、図１２に示すように、賦型樹脂層３には、賦型用樹脂に賦型された微小キズ３ｂが形成される。
【００３４】
液晶コート工程＃２０５は、賦型樹脂層３の微小キズ３ｂに、液晶材料をコートする工程である。コーティング方法は、ダイコート、グラビア、スピンコート、バーコート等を用いることができる。
【００３５】
凹凸転写工程＃２０６は、図１４に示すように、成形型５によって、微小キズ３ｂ上にコートされた液晶材料に、凹凸部４ｂを賦型する工程である。この成形型５は、右目用透過光に対応する位相差を与える右目用領域５Ａと、左目用透過光に対応する位相差を与える左目用領域５Ｂとが、帯状の凹凸部５ａとして交互に形成されたものである。成形型５は、凹凸部５ａが形成されているのは、液晶の膜厚を変えるための段差を賦型用樹脂３に付与するためである。この実施形態では、成形型５の凹凸部の段差は、２μｍとしてある。
【００３６】
液晶硬化工程＃２０７は、ＵＶの照射により、液晶材料を硬化させる工程である。
離型工程＃２０８は、成形型５を離型する工程であり、図１６に示すように、パターン位相差フィルム１Ａは、基材２に賦型樹脂層３Ａ、位相差層４Ａが順次積層されており、液晶底面から凸部の頂部までの液晶の膜厚ｔ１と、液晶底面から凹部の底部までの液晶の膜厚ｔ２によって、右目用領域Ａと左目用領域Ｂの位相差が付与されている。
【００３７】
以上説明したように、第２実施形態によれば、成形型６は、その表面にラビング等で微小キズ６ａを付けてあり、この微小キズ６ａの方向（配向方向）は、１方向に揃っている。また、成形型５は、２μｍの段差のある凹凸部５ａが形成されている。
この成形型６で賦型樹脂に微小キズ６ａを転写し、そこに液晶材料をコートする。ついで、成形型５により、液晶材料に凹凸部４ｂを賦型することにより、液晶が配向された位相差層４は、液晶底面から凸部の頂部までの液晶の膜厚ｔ１と、液晶底面から凹部の底部までの液晶の膜厚ｔ２によって、右目用領域Ａと左目用領域Ｂの位相差を付与する。この液晶表面は、凸部の頂部から１μｍの厚さに均一に形成されている。
右目用領域Ａは、膜厚ｔ１＝３μｍで、厚み方向のリタデーション値Ｒｅ１＝３７５ｎｍとなり、偏光の振動方向が３λ／４となる。
左目用領域Ｂは、膜厚ｔ２＝１μｍで、厚み方向のリタデーション値Ｒｅ２＝１２５ｎｍとなり、偏光の振動方向がλ／４となる。
従って、右目用領域Ａと左目用領域Ｂで、λ／２の位相差が付与される。
【００３８】
第２実施形態に係るパターン位相差フィルムの製造装置においては、ロール版１３は、図１０で説明した成形型６と同様な微小キズ６ａが形成された型が周囲に形成された円筒形状の金型であり、ロール版１３Ａは、図１４で説明した成形型５と同様な凹凸部５aが周囲に形成された円筒形状の金型である以外は、図９の装置と同様であるので、説明は省略する。
【００３９】
（パターン位相差フィルムの製造方法の第３実施形態）
図１７〜図２２は、第３実施形態に係るパターン位相差フィルムの製造方法を示す模式図である。
本実施形態に係るパターン位相差フィルムの製造方法は、賦型用樹脂コート工程＃３０１と、微小キズ付き凹凸転写工程＃３０２と、賦型用樹脂硬化工程＃３０３と、離型工程＃３０４と、液晶コート工程＃３０５と、ベタ版転写工程＃３０６と、液晶硬化工程＃３０７と、離型工程＃３０８などとを備えている。
【００４０】
賦型用樹脂塗布工程＃３０１は、図１７に示すように、ＴＡＣ等の透明フィルムからなる基材２に、硬化してないアクリル系などのＵＶ硬化型の賦型用樹脂を塗布する工程である。
【００４１】
微小キズ付き凹凸転写工程＃３０２は、図１７に示すように、成形型２０によって、基材２にコートされた賦型用樹脂３に、微小キズ付き凹凸部３ｃを賦型する工程である。この成形型２０は、右目用透過光に対応する位相差を与える右目用領域２０Ａと、左目用透過光に対応する位相差を与える左目用領域２０Ｂとが、帯状の凹凸部２１として交互に形成され、凹凸部２１の表面に、研磨又はラビング等で配向用の微小キズ２２が同一方向（凹凸部４ａの長手方向から４５度の方向）に形成されものである。成形型２０は、凹凸部２１が形成されているのは、液晶の膜厚を変えるための段差を賦型用樹脂３に付与するためである。この実施形態では、成形型２０の凹凸部の段差は、２μｍとしてある。また、微小キズ２２は、ほぼ５ｎｍ〜５００μｍの範囲内でランダムに形成されている。
【００４２】
賦型用樹脂硬化工程＃３０３は、図１８に示すように、成形型１０で、未硬化のＵＶ硬化型の賦型樹脂３に型押ししながら、ＵＶ（紫外線）を照射して硬化させる工程である。
【００４３】
離型工程＃３０４は、成形型１０を離型する工程であり、図１９に示すように、賦型樹脂層３には、賦型用樹脂に賦型された微小キズ付き凹凸部３ｃが形成される。
【００４４】
液晶コート工程＃３０５は、賦型樹脂層３の微小キズ付き凹凸部３ｃに、液晶材料をコートする工程である。コーティング方法は、ダイコート、グラビア、スピンコート、バーコート等を用いることができる。
ベタ版転写工程＃３０６は、液晶材料の上にベタ版を転写する工程である。成形型３０は、図２０に示すように、版面が鏡面仕上げされたベタ版であり、液晶材料の上面を平坦化されるためのものである。
液晶硬化工程＃３０７は、ＵＶの照射により、液晶材料を硬化させる工程である。
離型工程＃３０８は、成形型３０を離型する工程であり、図２２に示すように、パターン位相差フィルム１は、基材２に賦型樹脂層３、位相差層４が順次積層されており、液晶表面から凹部の底部までの液晶の膜厚ｔ１と、液晶表面から凸部の頂部までの液晶の膜厚ｔ２によって、右目用領域Ａと左目用領域Ｂの位相差が付与されている。
【００４５】
以上説明したように、第３実施形態によれば、成形型２０は、２μｍの段差のある凹凸部２１の表面にラビング等で微小キズ２２を付けている。この微小キズ２２の方向（配向方向）は、１方向に揃っている。また、成形型３０は、ベタ版である。
この成形型２０で、賦型層３にキズ付き凹凸部を賦型し、そこに液晶材料をコートすることにより、液晶が配向された位相差層４は、液晶表面から凹部の底部までの液晶の膜厚ｔ１と、液晶表面から凸部の頂部までの液晶の膜厚ｔ２によって、右目用領域Ａと左目用領域Ｂの位相差を付与する。この液晶表面は、成形型３０によって平滑化されるので、頂部から１μｍの厚さに均一に形成されている。
右目用領域Ａは、膜厚ｔ１＝３μｍで、厚み方向のリタデーション値Ｒｅ１＝３７５ｎｍとなり、偏光の振動方向が３λ／４となる。
左目用領域Ｂは、膜厚ｔ２＝１μｍで、厚み方向のリタデーション値Ｒｅ２＝１２５ｎｍとなり、偏光の振動方向がλ／４となる。
従って、右目用領域Ａと左目用領域Ｂで、λ／２の位相差が付与される。
【００４６】
第３実施形態に係るパターン位相差フィルムの製造装置においては、ロール版１３は、図１７で説明した成形型２０と同様な微小キズ付き凹凸部３ｃが形成された型が周囲に形成された円筒形状の金型であり、ロール版１３Ａは、図２０で説明した成形型３０と同様なベタ版が周囲に形成された円筒形状の金型である以外は、図９の装置と同様であるので、説明は省略する。
【００４７】
（変形形態）
以上説明した実施形態に限定されることなく、種々の変形や変更が可能であって、それらも本発明の技術的範囲内である。
（１）微小キズの方向は、４５度に限らず、９０度、１３５度、１８０度等であってもよい。
【符号の説明】
【００４８】
１：パターン位相差フィルム，２：基材、３：賦型樹脂層、４：位相差層、
＃１０１：賦型用樹脂コート工程、＃１０２：賦型工程、＃１０３：賦型用樹脂硬化工程、＃１０４：離型工程、＃１０５：液晶コート工程、＃１０６：液晶硬化工程
＃２０１：賦型用樹脂コート工程、＃２０２：微小キズ転写工程、＃２０３：賦型用樹脂硬化工程、＃２０４：離型工程、＃２０５：液晶コート工程、＃２０６：凹凸転写工程、＃２０７：液晶硬化工程、＃２０８：離型工程、
＃３０１：賦型用樹脂コート工程、＃３０２：微小キズ付き凹凸転写工程、＃３０３：賦型用樹脂硬化工程、＃３０４：離型工程、＃３０５：液晶コート工程、＃３０６：ベタ版転写工程、＃３０７：液晶硬化工程、＃３０８：離型工程
【図１Ａ】
2013015754.tif 000003
【図１Ｂ】
2013015754.tif 000004
【図２】
2013015754.tif 000005
【図３】
2013015754.tif 000006
【図４】
2013015754.tif 000007
【図５】
2013015754.tif 000008
【図６】
2013015754.tif 000009
【図７】
2013015754.tif 000010
【図８】
2013015754.tif 000011
【図９】
2013015754.tif 000012
【図１０】
2013015754.tif 000013
【図１１】
2013015754.tif 000014
【図１２】
2013015754.tif 000015
【図１３】
2013015754.tif 000016
【図１４】
2013015754.tif 000017
【図１５】
2013015754.tif 000018
【図１６】
2013015754.tif 000019
【図１７】
2013015754.tif 000020
【図１８】
2013015754.tif 000021
【図１９】
2013015754.tif 000022
【図２０】
2013015754.tif 000023
【図２１】
2013015754.tif 000024
【図２２】
2013015754.tif 000025
【図２３】
2013015754.tif 000026